(57)【要約】【課題】樹脂成形装置において、混合液状樹脂の供給機構を容易に移動させる。【解決手段】樹脂成形装置に、成形型と、成形型に設けられ混合液状樹脂３７が収容されるキャビティ１３と、キャビティ１３に混合液状樹脂３７を供給する供給機構１５と、供給機構１５に設けられ複数の種類の液状樹脂を保管する液状樹脂保管機構１６と、供給機構１５に設けられ複数の種類の液状樹脂を混合して混合液状樹脂３７を生成し混合液状樹脂３７をキャビティ１３に吐出するディスペンサ１７と、移動機構とを備える。移動機構は、液状樹脂保管機構１６とディスペンサ１７とを一体にして待機位置からキャビティ１３の近傍まで移動させる。これにより、液状樹脂保管機構１６からディスペンサ１７まで複数の種類の液状樹脂を移送する距離を短くする。したがって、供給機構１５を容易に移動させることができる。【選択図】図２
2015123738.tif 000002
【特許請求の範囲】
【請求項１】
上型と、該上型に相対向して設けられた下型と、前記上型と前記下型との少なくとも一方に設けられたキャビティと、前記キャビティにおいて硬化するはずの混合液状樹脂が収容される収容部と、前記収容部に前記混合液状樹脂を供給する供給機構と、前記上型と前記下型とを少なくとも有する成形型を型締めする型締め機構とを備える樹脂成形装置であって、
前記供給機構に設けられ、複数の種類の液状樹脂を保管する液状樹脂保管機構と、
前記液状樹脂保管機構に設けられ、前記複数の種類の液状樹脂を該種類ごとに保管する複数の容器と、
前記供給機構に設けられ、前記収容部に前記混合液状樹脂を吐出する吐出機構と、
前記吐出機構に設けられ、前記複数の容器から移送された前記複数の種類の液状樹脂を該種類ごとに貯留する複数の液状樹脂貯留機構と、
前記吐出機構に設けられ、貯留された前記複数の種類の液状樹脂を該種類ごとに一定の量だけ送出する複数の液状樹脂送出機構と、
前記吐出機構に設けられ、送出された前記複数の種類の液状樹脂を混合することによって前記混合液状樹脂を生成する液状樹脂混合機構と、
前記供給機構を待機位置から前記収容部の近傍まで移動させる第１の移動機構とを備え、
前記第１の移動機構は、前記液状樹脂保管機構と前記吐出機構とを一体にして移動させることを特徴とする樹脂成形装置。
【請求項２】
請求項１に記載された樹脂成形装置において、
前記吐出機構を前記収容部の近傍から前記収容部の上方まで移動させる第２の移動機構を備え、
前記第２の移動機構は、前記複数の液状樹脂貯留機構と前記複数の液状樹脂送出機構と前記液状樹脂混合機構とを一体にして移動させることを特徴とする樹脂成形装置。
【請求項３】
請求項１に記載された樹脂成形装置において、
前記吐出機構に設けられた貯留送出部と、
前記吐出機構に設けられ前記貯留送出部とは分割された混合吐出部と、
前記混合吐出部を前記収容部の近傍から前記収容部の上方まで移動させる第３の移動機構とを備え、
前記貯留送出部は少なくとも前記複数の液状樹脂貯留機構と前記複数の液状樹脂送出機構とを有し、
前記混合吐出部は少なくとも前記液状樹脂混合機構を有することを特徴とする樹脂成形装置。
【請求項４】
請求項１〜３のいずれかに記載された樹脂成形装置において、
前記複数の容器に圧縮空気を供給する加圧機構を備え、
前記加圧機構から前記複数の容器にそれぞれ供給された前記圧縮空気が前記複数の種類の液状樹脂をそれぞれ押圧することによって前記複数の容器から前記複数の液状樹脂貯留機構に前記複数の種類の液状樹脂がそれぞれ移送されることを特徴とする樹脂成形装置。
【請求項５】
請求項１〜４のいずれかに記載された樹脂成形装置において、
前記供給機構が待機する供給モジュールと、
前記成形型と前記型締め機構とを少なくとも有する少なくとも１個の成形モジュールとを備え、
前記１個の成形モジュールは前記供給モジュールに対して着脱されることができ、
前記１個の成形モジュールは他の成形モジュールに対して着脱されることができ、
前記供給モジュールと前記１個の成形モジュールとが装着された状態において、前記供給機構は前記供給モジュールと前記１個の成形モジュールとが並ぶ方向に沿って移動することを特徴とする樹脂成形装置。
【請求項６】
上型と該上型に相対向して設けられた下型とを少なくとも有する成形型を準備する工程と、前記上型と前記下型との少なくとも一方に設けられたキャビティにおいて硬化するはずの混合液状樹脂を収容部に収容する工程と、前記成形型を型締めする工程とを備える樹脂成形方法であって、
複数の容器を含む液状樹脂保管機構と、複数の種類の液状樹脂をそれぞれ貯留する複数の液状樹脂貯留機構と、前記複数の種類の液状樹脂をそれぞれ送出する複数の液状樹脂送出機構と、それぞれ送出された前記複数の種類の液状樹脂を受け取り前記複数の種類の液状樹脂を混合する液状樹脂混合機構とが一体的に構成された供給機構を準備する工程と、
前記複数の種類の液状樹脂を該種類ごとに前記複数の容器にそれぞれ保管する工程と、
前記複数の容器から前記複数の液状樹脂貯留機構に前記複数の種類の液状樹脂をそれぞれ移送する工程と、
移送された前記複数の種類の液状樹脂をそれぞれ貯留する工程と、
貯留された前記複数の種類の液状樹脂をそれぞれ一定の量に計量する工程と、
計量された前記複数の種類の液状樹脂をそれぞれ前記液状樹脂混合機構に送出する工程と、
前記液状樹脂混合機構において前記複数の種類の液状樹脂を混合することによって前記混合液状樹脂を生成する工程と、
前記成形型の近傍まで前記供給機構を移動させる工程と、
前記成形型の近傍から前記収容部の上方まで少なくとも前記液状樹脂混合機構を移動させる工程と、
前記収容部に向かって前記混合液状樹脂を吐出する工程と、
前記収容部に収容された前記混合液状樹脂を前記キャビティに収容する工程と、
前記成形型を型締めする工程と、
前記成形型を型締めした状態において前記混合液状樹脂を硬化させる工程とを備えることを特徴とする樹脂成形方法。
【請求項７】
請求項６に記載された樹脂成形方法において、
少なくとも前記液状樹脂混合機構を移動させる工程では、前記収容部の上方まで前記供給機構を移動させることを特徴とする樹脂成形方法。
【請求項８】
請求項６に記載された樹脂成形方法において、
少なくとも前記液状樹脂混合機構を移動させる工程では、前記収容部の上方まで前記液状樹脂混合機構を移動させることを特徴とする樹脂成形方法。
【請求項９】
請求項６〜８のいずれかに記載された樹脂成形方法において、
前記移送する工程において、前記複数の容器にそれぞれ保管された前記複数の種類の液状樹脂を圧縮空気によってそれぞれ押圧する工程を備えることを特徴とする樹脂成形方法。
【請求項１０】
請求項６〜９のいずれかに記載された樹脂成形方法において、
前記供給機構が待機する供給モジュールと、前記成形型と前記型締め機構とを少なくとも有する少なくとも１個の成形モジュールとを準備する工程と、
前記供給モジュールと前記１個の成形モジュールとを装着する工程とを備え、
前記供給機構を移動させる工程では、前記供給モジュールと前記１個の成形モジュールとが装着された状態において、前記供給モジュールと前記１個の成形モジュールとが並ぶ方向に沿って前記供給機構を移動させることを特徴とする樹脂成形方法。
【発明の詳細な説明】
【技術分野】
【０００１】
本発明は、トランジスタ、集積回路（Integrated Circuit ：ＩＣ）や発光ダイオード（Light Emitting Diode：ＬＥＤ）などの電子部品を、液状樹脂を用いて樹脂封止する場合などに使用される、樹脂成形装置及び樹脂成形方法に関するものである。本出願書類においては、「液状」という用語は常温において液状であって流動性を有することを意味しており、流動性の高低、言い換えれば粘度の程度を問わない。
【背景技術】
【０００２】
従来から、ＬＥＤなどの光素子は、樹脂材料として熱硬化性で光を透過する液状樹脂、例えば、シリコーン樹脂やエポキシ樹脂などを用いて樹脂封止される。樹脂封止する技術としては、圧縮成形、トランスファ成形などの樹脂成形技術が使用される。樹脂成形においては、主剤となる液状樹脂と、硬化剤などの補助剤となる液状樹脂とを混合させ、混合された液状樹脂（以下「混合液状樹脂」という。）を加熱することによって硬化させる。
【０００３】
液状樹脂を用いる樹脂成形装置は、主剤が充填された容器と硬化剤が充填された容器とを備える。主剤が充填された容器と硬化剤が充填された容器とから一定の割合で供給された２種の液状樹脂（以下「２液」という。）を、混合容器などにおいて混合する。樹脂成形する対象に応じて主剤と硬化剤との混合比を調整し、混合液状樹脂の粘度などを最適化する。２液を混合する場合には、主剤と硬化剤とを常温において別々の容器に保管しておき、実際に使用する際に２液を混合して、混合液状樹脂を形成する。主剤と硬化剤とを予め混合して１液にしておいた混合液状樹脂を容器に充填して、その混合液状樹脂を使用する場合もある。製品や用途に応じて最適な主剤と硬化剤とを選択する必要がある。
【０００４】
複数種類の液状材料を混合させる液状材料計量搬送装置として、「複数の種類の液状材料を混合する混合装置へ、それぞれの液状材料を計量し、搬送する液状材料計量搬送装置において、各別の液状材料を貯留させた容器からそれぞれの液状材料を各別に排出する材料供給装置と、前記材料供給装置から排出されたそれぞれの液状材料の供給を各別に受け、それぞれの液状材料を各別に所望の量を排出する材料計量装置とからなり、前記材料計量装置から前記混合装置へ液状材料を各別に搬送する」液状材料計量搬送装置が提案されている（例えば、特許文献１の段落〔００１１〕、図１参照）。
【先行技術文献】
【特許文献】
【０００５】
【特許文献１】特開２００５−２５４５３９号公報
【発明の概要】
【発明が解決しようとする課題】
【０００６】
しかしながら、上記のような液状材料を混合させる装置においては、次のような問題が発生する。材料供給装置、材料計量装置、混合装置、射出装置が各別に構成されており、材料供給装置から最終の射出装置までに液状材料を移送する経路が非常に長い。そのために、装置全体としては大型化して、複雑な構成になっている。
【０００７】
さらには、装置全体が大型化し、液状材料を移送する経路が長いので、射出装置を装置内において移動させることが難しくなっている。そのため、複数の成形型を有する樹脂成形装置などに対応することが困難になっている。ＩＣやＬＥＤなどの半導体素子を樹脂封止する樹脂成形装置は、複数の成形型を設けて、多量の製品を効率よく樹脂封止する構成になっている。近年では、成形型を有する成形モジュールを複数個並べた、所謂、モジュール構成の樹脂成形装置が主流となっている。上記のような液状材料を混合させる装置によれば、複数の成形モジュールを並べた樹脂成形装置に対応することが困難である。
【０００８】
本発明は上記の課題を解決するもので、吐出機構を簡単な構成で小型化することができ、かつ、吐出機構と液状樹脂保管機構とが一体化された供給機構を設けることによって、装置内において供給機構を移動させて混合液状樹脂を供給することができる樹脂成形装置及び樹脂成形方法を提供することを目的とする。
【課題を解決するための手段】
【０００９】
上記の課題を解決するために、本発明に係る樹脂成形装置は、上型と、該上型に相対向して設けられた下型と、上型と下型との少なくとも一方に設けられたキャビティと、キャビティにおいて硬化するはずの混合液状樹脂が収容される収容部と、収容部に混合液状樹脂を供給する供給機構と、上型と下型とを少なくとも有する成形型を型締めする型締め機構とを備える樹脂成形装置であって、供給機構に設けられ、複数の種類の液状樹脂を保管する液状樹脂保管機構と、液状樹脂保管機構に設けられ、複数の種類の液状樹脂を該種類ごとに保管する複数の容器と、供給機構に設けられ、収容部に混合液状樹脂を吐出する吐出機構と、吐出機構に設けられ、複数の容器から移送された複数の種類の液状樹脂を該種類ごとに貯留する複数の液状樹脂貯留機構と、吐出機構に設けられ、貯留された複数の種類の液状樹脂を該種類ごとに一定の量だけ送出する複数の液状樹脂送出機構と、吐出機構に設けられ、送出された複数の種類の液状樹脂を混合することによって混合液状樹脂を生成する液状樹脂混合機構と、供給機構を待機位置から収容部の近傍まで移動させる第１の移動機構とを備え、第１の移動機構は、液状樹脂保管機構と吐出機構とを一体にして移動させることを特徴とする。
【００１０】
また、本発明に係る樹脂成形装置は、上述の樹脂成形装置において、吐出機構を収容部の近傍から収容部の上方まで移動させる第２の移動機構を備え、第２の移動機構は、複数の液状樹脂貯留機構と複数の液状樹脂送出機構と液状樹脂混合機構とを一体にして移動させることを特徴とする。
【００１１】
また、本発明に係る樹脂成形装置は、上述の樹脂成形装置において、吐出機構に設けられた貯留送出部と、吐出機構に設けられ貯留送出部とは分割された混合吐出部と、混合吐出部を収容部の近傍から収容部の上方まで移動させる第３の移動機構とを備え、貯留送出部は少なくとも複数の液状樹脂貯留機構と複数の液状樹脂送出機構とを有し、混合吐出部は少なくとも液状樹脂混合機構を有することを特徴とする。
【００１２】
また、本発明に係る樹脂成形装置は、上述の樹脂成形装置において、複数の容器に圧縮空気を供給する加圧機構を備え、加圧機構から複数の容器にそれぞれ供給された圧縮空気が複数の種類の液状樹脂をそれぞれ押圧することによって複数の容器から複数の液状樹脂貯留機構に複数の種類の液状樹脂がそれぞれ移送されることを特徴とする。
【００１３】
また、本発明に係る樹脂成形装置は、上述の樹脂成形装置において、供給機構が待機する供給モジュールと、成形型と型締め機構とを少なくとも有する少なくとも１個の成形モジュールとを備え、１個の成形モジュールは供給モジュールに対して着脱されることができ、１個の成形モジュールは他の成形モジュールに対して着脱されることができ、供給モジュールと１個の成形モジュールとが装着された状態において、供給機構は供給モジュールと１個の成形モジュールとが並ぶ方向に沿って移動することを特徴とする。
【００１４】
上記の課題を解決するために、本発明に係る樹脂成形方法は、上型と該上型に相対向して設けられた下型とを少なくとも有する成形型を準備する工程と、上型と下型との少なくとも一方に設けられたキャビティにおいて硬化するはずの混合液状樹脂を収容部に収容する工程と、成形型を型締めする工程とを備える樹脂成形方法であって、複数の容器を含む液状樹脂保管機構と、複数の種類の液状樹脂をそれぞれ貯留する複数の液状樹脂貯留機構と、複数の種類の液状樹脂をそれぞれ送出する複数の液状樹脂送出機構と、それぞれ送出された複数の種類の液状樹脂を受け取り複数の種類の液状樹脂を混合する液状樹脂混合機構とが一体的に構成された供給機構を準備する工程と、複数の種類の液状樹脂を該種類ごとに複数の容器にそれぞれ保管する工程と、複数の容器から複数の液状樹脂貯留機構に複数の種類の液状樹脂をそれぞれ移送する工程と、移送された複数の種類の液状樹脂をそれぞれ貯留する工程と、貯留された複数の種類の液状樹脂をそれぞれ一定の量に計量する工程と、計量された複数の種類の液状樹脂をそれぞれ液状樹脂混合機構に送出する工程と、液状樹脂混合機構において複数の種類の液状樹脂を混合することによって混合液状樹脂を生成する工程と、成形型の近傍まで供給機構を移動させる工程と、成形型の近傍から収容部の上方まで少なくとも液状樹脂混合機構を移動させる工程と、収容部に向かって混合液状樹脂を吐出する工程と、収容部に収容された混合液状樹脂をキャビティに収容する工程と、成形型を型締めする工程と、成形型を型締めした状態において混合液状樹脂を硬化させる工程とを備えることを特徴とする。
【００１５】
また、本発明に係る樹脂成形方法は、上述の樹脂成形方法において、少なくとも液状樹脂混合機構を移動させる工程では、収容部の上方まで供給機構を移動させることを特徴とする。
【００１６】
また、本発明に係る樹脂成形方法は、上述の樹脂成形方法において、少なくとも液状樹脂混合機構を移動させる工程では、収容部の上方まで液状樹脂混合機構を移動させることを特徴とする。
【００１７】
また、本発明に係る樹脂成形方法は、上述の樹脂成形方法において、移送する工程において、複数の容器にそれぞれ保管された複数の種類の液状樹脂を圧縮空気によってそれぞれ押圧する工程を備えることを特徴とする。
【００１８】
また、本発明に係る樹脂成形方法は、上述の樹脂成形方法において、供給機構が待機する供給モジュールと、成形型と型締め機構とを少なくとも有する少なくとも１個の成形モジュールとを準備する工程と、供給モジュールと１個の成形モジュールとを装着する工程とを備え、供給機構を移動させる工程では、供給モジュールと１個の成形モジュールとが装着された状態において、供給モジュールと１個の成形モジュールとが並ぶ方向に沿って供給機構を移動させることを特徴とする。
【発明の効果】
【００１９】
本発明によれば、樹脂成形装置に、成形型が有するキャビティにおいて硬化するはずの混合液状樹脂が収容される収容部と、収容部に混合液状樹脂を供給する供給機構と、供給機構に設けられ複数の種類の液状樹脂を保管する液状樹脂保管機構と、供給機構に設けられ収容部に混合液状樹脂を吐出する吐出機構と、供給機構を待機位置から収容部の近傍まで移動させる第１の移動機構とを備える。第１の移動機構は、液状樹脂保管機構と吐出機構とを一体にして移動させる。このことによって、液状樹脂保管機構から吐出機構まで複数の種類の液状樹脂を移送する距離を短くすることができる。したがって、供給機構を容易に移動させることができる。
【図面の簡単な説明】
【００２０】
【図１】本発明に係る樹脂成形装置の概要を示す平面図である。
【図２】図１に示された樹脂成形装置の１つの実施例における供給機構を示す概略図である。図２（ａ）は供給機構が可動下型のキャビティに混合液状樹脂を供給する状態を示す概略図、図２（ｂ）は供給機構を示す概略平面図である。
【図３】図２に示された供給機構とコンプレッサとの構成を示す概略図である。
【図４】図２に示された供給機構が有するディスペンサの概略図である。
【図５】図１に示された樹脂成形装置の他の実施例における供給機構を示す概略図である。図５（ａ）は供給機構が可動下型のキャビティに混合液状樹脂を供給する状態を示す概略図、図５（ｂ）は供給機構を示す概略平面図である。
【発明を実施するための形態】
【００２１】
図１と図２とに示されるように、樹脂成形装置１に、成形型と、成形型に設けられ混合液状樹脂３７が収容されるキャビティ１３と、キャビティ１３に混合液状樹脂３７を供給する供給機構１５と、供給機構１５に設けられ複数の種類の液状樹脂を保管する液状樹脂保管機構１６と、供給機構１５に設けられ複数の種類の液状樹脂を混合して混合液状樹脂３７を生成し混合液状樹脂３７をキャビティ１３に吐出するディスペンサ１７と、移動機構２０とを備える。移動機構２０は、液状樹脂保管機構１６とディスペンサ１７とを一体にして待機位置からキャビティ１３の近傍まで移動させる。これにより、液状樹脂保管機構１６からディスペンサ１７まで主剤３９及び硬化剤４０を移送する距離を短くする。したがって、供給機構１５を容易に移動させることができる。
【実施例１】
【００２２】
図１と図２とを参照して、本発明に係る樹脂成形装置の実施例１を説明する。本出願書類におけるいずれの図についても、わかりやすくするために、適宜省略し又は誇張して模式的に描かれている。同一の構成要素については、同一の符号を付して説明を適宜省略する。
【００２３】
図１に示された樹脂成形装置１は、基板供給・収納モジュール２と、４つの成形モジュール３Ａ、３Ｂ、３Ｃ、３Ｄと、液状樹脂供給モジュール４とを、それぞれ構成要素として有する。構成要素である基板供給・収納モジュール２と、成形モジュール３Ａ、３Ｂ、３Ｃ、３Ｄと、液状樹脂供給モジュール４とは、それぞれ他の構成要素に対して、着脱されることができ、かつ、交換されることができる。例えば、基板供給・収納モジュール２と成形モジュール３Ａとが装着された状態において、成形モジュール３Ａに成形モジュール３Ｂが装着され、成形モジュール３Ｂに液状樹脂供給モジュール４が装着されることができる。
【００２４】
基板供給・収納モジュール２には、封止前基板５を供給する封止前基板供給部６と封止済基板７を収納する封止済基板収納部８とが設けられる。封止前基板７には、例えば、光素子としてＬＥＤチップなどが装着されている。基板供給・収納モジュール２には、ローダ９とアンローダ１０とが設けられ、ローダ９とアンローダ１０とを支えるレール１１がＸ方向に沿って設けられる。ローダ９とアンローダ１０とは、レール１１に沿って移動する。
【００２５】
レール１１に支えられたローダ９及びアンローダ１０は、基板供給・収納モジュール２と各成形モジュール３Ａ、３Ｂ、３Ｃ、３Ｄと液状樹脂供給モジュール４との間を、Ｘ方向に移動する。したがって、基板供給・収納モジュール２と成形モジュール３Ａとが装着された状態において、ローダ９及びアンローダ１０は、基板供給・収納モジュール２と成形モジュール３Ａとが並ぶ方向（Ｘ方向）に沿って移動する。
【００２６】
加えて、ローダ９及びアンローダ１０はＹ方向に移動する。すなわち、ローダ９及びアンローダ１０は水平方向に移動する。なお、本出願書類においては、水平方向及び垂直方向という用語は、厳密な水平方向及び垂直方向の他に、移動する構成要素の動作を妨げない程度に方向が傾いている場合を含む。
【００２７】
各成形モジュール３Ａ、３Ｂ、３Ｃ、３Ｄには、昇降可能な可動下型１２と、可動下型１２に相対向して配置された固定上型（図示なし、図２参照）とが設けられる。固定上型と可動下型１２とは成形型を構成する。各成形モジュールは、固定上型と可動下型１２とを型締め及び型開きする型締め機構ＣＬを有する。混合液状樹脂が収容される部分（以下適宜「収容部」という。）であるキャビティ１３が可動下型１２に設けられ、キャビティ１３が離型フィルム１４によって被覆される。
【００２８】
液状樹脂供給モジュール４には、供給機構１５が設けられる。供給機構１５は、レール１１に支えられ、レール１１に沿って移動する。したがって、液状樹脂供給モジュール４と成形モジュール３Ｄとが装着された状態において、供給機構１５は、液状樹脂供給モジュール４と成形モジュール３Ｄとが並ぶ方向（Ｘ方向）に沿って移動する。
【００２９】
供給機構１５は、液状樹脂保管機構１６と混合液状樹脂吐出機構であるディスペンサ１７とが一体化されて構成される。液状樹脂保管機構１６には、主剤となる液状樹脂を貯蔵する主剤用のカートリッジ１８と硬化剤となる液状樹脂を貯蔵する硬化剤用のカートリッジ１９とが設けられる。
【００３０】
液状樹脂供給モジュール４には移動機構２０が設けられる。レール１１に支えられた供給機構１５は、移動機構２０によってレール１１に沿ってＸ方向に移動する。具体的に説明すれば、供給機構１５は、液状樹脂供給モジュール４と各成形モジュール３Ａ、３Ｂ、３Ｃ、３Ｄとの間を移動する。ディスペンサ１７はＹ方向に移動する。加えて、供給機構１５をＹ方向にも移動するようにしてもよい。
【００３１】
なお、本出願書類においては、「一体化された」、「一体的に構成された」、「一体になって移動」などの文言は、複数の構成要素がひとまとまりになってそのひとまとまりが移動できることを意味する。「一体化された」、「一体的に構成された」、「一体になって移動」などの文言は、ひとまとまりになって移動できる複数の構成要素が互いに分離できる場合を含む。加えて、「ＡとＢとが一体化されたＣ」などの表現は、ＣにＡ及びＢ以外の構成要素が含まれることを排除しない。
【００３２】
液状樹脂供給モジュール４には、成形モジュール３Ａ、３Ｂ、３Ｃ、３Ｄにおいて固定上型と可動下型１２とを型締めした状態のキャビティ１３から空気を強制的に吸引して排出する真空引き機構２１が設けられる。液状樹脂供給モジュール４には、樹脂成形装置１全体の動作を制御する制御部２２が設けられる。図１においては、真空引き機構２１と制御部２２とを液状樹脂供給モジュール４に設けた場合を示した。これに限らず、真空引き機構２１と制御部２２とを他のモジュールに設けてもよい。
【００３３】
図１と図２とを用いて、供給機構１５が可動下型１２に設けられたキャビティ１３に混合液状樹脂を供給する機構について説明する。図２（ａ）に示すように、各成形モジュール３Ａ、３Ｂ、３Ｃ、３Ｄ（図１参照）には、固定上型２３と可動下型１２とフィルム押え部材２４とが設けられる。少なくとも固定上型２３と可動下型１２とは成形型を構成する。各成形モジュール３Ａ、３Ｂ、３Ｃ、３Ｄは、成形型を型締めし型開きする型締め機構ＣＬ（図１参照）を有する。
【００３４】
離型フィルム１４は、キャビティ１３及びその周囲を被覆する。フィルム押え部材２４は、キャビティ１３の周囲において、離型フィルム１４を可動下型１２の型面に押さえ付けて固定するための部材である。フィルム押え部材２４は中央部に開口を有し、その開口の内部に成形型が位置する。固定上型２３には、例えば、ＬＥＤチップ２５などが装着された封止前基板５が、吸着又はクランプなどによって固定されて配置される。可動下型１２には、全体キャビティ１３と、全体キャビティ１３の中においてそれぞれのＬＥＤチップ２５に対応する個別キャビティ２６とが、設けられる。
【００３５】
全体キャビティ１３の全面を覆うようにして、離型フィルム１４が供給される。全体キャビティ１３の周囲において、離型フィルム１４が、フィルム押え部材２４によって可動下型１２の型面に押さえ付けられて固定される。各個別キャビティ２６における型面に沿うようにして、離型フィルム１４が吸着される。なお、図２（ａ）においては、フィルム押え部材２４を用いる場合を示した。これに限らず、離型フィルム１４とフィルム押え部材２４とを使用しなくてもよい。
【００３６】
図２（ｂ）に示されるように、供給機構１５は、液状樹脂保管機構１６とディスペンサ１７とが一体化されて構成される。液状樹脂保管機構１６には、主剤となる液状樹脂を貯蔵する主剤用のカートリッジ１８と硬化剤となる液状樹脂を貯蔵する硬化剤用のカートリッジ１９とが設けられる。主剤としては、熱硬化性と透光性とを有するシリコーン樹脂やエポキシ樹脂などが使われる。
【００３７】
図２に示されるディスペンサ１７は、実際に使用する際に主剤と硬化剤とを混合する２液混合タイプのディスペンサである。なお、供給機構１５の横側（図２（ｂ）における下側）に液状樹脂保管機構１６を設けた。これに代えて、供給機構１５の後ろ側（図２（ｂ）における右側）に液状樹脂保管機構１６を設けてもよい。
【００３８】
主剤用のカートリッジ１８は、例えば、配管としてフッ素樹脂チューブ２７によって、ディスペンサ１７に設けられた主剤の貯留部２８に接続される。硬化剤用のカートリッジ１９は、配管であるフッ素樹脂チューブ２９によって、ディスペンサ１７に設けられた硬化剤の貯留部３０に接続される。主剤の貯留部２８及び硬化剤の貯留部３０は、いずれもステンレス鋼（stainless steel ）製である。
【００３９】
フッ素樹脂チューブ２７、２９の長さは、供給機構１５が有するディスペンサ１７がＹ方向に移動する距離に対応する長さであればよい。フッ素樹脂チューブ２７、２９は、耐圧性、耐熱性、柔軟性などを有することが好ましい。
【００４０】
主剤の計量送出機構３１が主剤の貯留部２８に接続される。硬化剤の計量送出機構３２が硬化剤の貯留部３０に接続される。主剤の貯留部２８と硬化剤の貯留部３０とは、ともに混合室３３という共通する空間に接続される。
【００４１】
混合室３３には、静的混合部材であるスタティックミキサ３４が接続される。混合室３３とスタティックミキサ３４とは、併せて、主剤と硬化剤とを混合する混合部３５を構成する。スタティックミキサ３４の先端には、吐出部であるノズル３６が取り付けられる。混合部３５において主剤と硬化剤とが混合されることによって生成された混合液状樹脂３７が、ノズル３６の先端から真下に（−Ｚ方向に）吐出される。
【００４２】
供給機構１５には、供給機構１５が有するディスペンサ１７をＹ方向に移動させる移動機構３８が設けられる。ディスペンサ１７は、上下方向（Ｚ方向）にも移動させることができる。図２（ａ）に示されたディスペンサ１７を、鉛直面内（Ｙ軸とＺ軸とを含む面内）又は水平面内（Ｘ軸とＹ軸とを含む面内）において、ある１点を中心にして部分的に回転するように往復動させることができる。この場合には、ディスペンサ１７の先端部が円弧の一部分を描くようにして往復動する。
【００４３】
図２に示されたスタティックミキサ３４とノズル３６とは、互いに着脱される。したがって、スタティックミキサ３４とノズル３６とを互いに交換することができる。これに代えて、スタティックミキサ３４とノズル３６とを一体化された部材にすることができる。加えて、ノズル３６の先端から混合液状樹脂３７が吐出される方向を真横にしてもよく、斜め下にしてもよい。
【００４４】
図１と図２とを参照して、樹脂成形装置１の動作として成形モジュール３Ｃを使用する場合について説明する。例えば、ＬＥＤチップ２５が装着された封止前基板５を、ＬＥＤチップ２５が装着された面を下側にして、封止前基板供給部６からローダ９に受け渡す。次に、ローダ９を、基板供給・収納モジュール２からレール１１に沿って成形モジュール３Ｃまで＋Ｘ方向に移動させる。
【００４５】
次に、成形モジュール３Ｃにおいて、ローダ９を可動下型１２と固定上型２３（図２参照）との間の所定の位置まで−Ｙ方向に移動させる。ＬＥＤチップ２５が装着された面を下側にした封止前基板５を、固定上型２３の下面に固定する。封止前基板５を固定上型の下面に配置した後に、基板供給・収納モジュール２における元の位置まで、ローダ９を移動させる。
【００４６】
次に、移動機構２０を使用して、供給機構１５を、液状樹脂供給モジュール４における待機位置から、レール１１に沿って成形モジュール３Ｃまで−Ｘ方向に移動させる。このことによって、供給機構１５を、モジュール３Ｃにおける可動下型１２の近傍の所定の位置まで移動させる。図１は、モジュール３Ｃにおける可動下型１２の近傍の所定の位置まで供給機構１５を移動させた後の状態を示す。
【００４７】
次に、移動機構３８を使用して、ディスペンサ１７を、供給機構１５から可動下型１２の上方における所定の位置まで移動させる。
【００４８】
次に、図２（ａ）に示すように、ディスペンサ１７のノズル３６からキャビティ１３に混合液状樹脂３７を供給する。この場合において、収容部であるキャビティ１３に向かって混合液状樹脂を吐出する工程と、収容部に収容された混合液状樹脂３７をキャビティ１３に収容する工程とが、共通する。
【００４９】
具体的には、主剤用のカートリッジ１８に貯蔵された主剤を、フッ素樹脂チューブ２７を経由して、主剤の貯留部２８に移送する。計量送出機構３１を使用して、主剤の貯留部２８から混合室３３に主剤を送出する。硬化剤用のカートリッジ１９に貯蔵された硬化剤を、フッ素樹脂チューブ２９を経由して、硬化剤の貯留部３０に移送する。計量送出機構３２を使用して、硬化剤の貯留部３０から混合室３３に硬化剤を送出する。混合室３３において主剤と硬化剤とを合流させる。混合室３３において合流して混合され始めた主剤と硬化剤とを、スタティックミキサ３４を使用してさらに混合する。このことによって混合液状樹脂３７を生成する。ディスペンサ１７のノズル３６からキャビティ１３に混合液状樹脂３７を吐出する。
【００５０】
なお、供給機構１５から可動下型１２の上方における所定の位置までディスペンサ１７を移動させる工程と、混合液状樹脂３７を生成する工程とを、並行して実行することもできる。
【００５１】
次に、混合液状樹脂３７をキャビティ１３に供給した後に、移動機構３８を使用してディスペンサ１７を供給機構１５まで後退させる。移動機構２０を使用して供給機構１５を液状樹脂供給モジュール４における元の待機位置まで移動させる。
【００５２】
次に、成形モジュール３Ｃにおいて、キャビティ１３に混合液状樹脂３７が供給された後に、型締め機構ＣＬを使用して可動下型１２を上動させ、固定上型２３と可動下型１２とを型締めする。型締めすることによって、封止前基板５に装着されたＬＥＤチップ２５を、キャビティ１３に供給された混合液状樹脂３７に浸漬する。このとき、可動下型１２に設けられたキャビティ底面部材（図示なし）を使用して、キャビティ１３内の混合液状樹脂３７に所定の樹脂圧を加えることができる。
【００５３】
なお、型締めする過程において、真空引き機構２１を使用してキャビティ１３内を吸引してもよい。このことによって、キャビティ１３内に残留する空気や混合液状樹脂３７中に含まれる気泡などが成形型の外部に排出される。加えて、キャビティ１３内が所定の真空度に設定される。
【００５４】
次に、混合液状樹脂３７を硬化させるために必要な時間だけ加熱することによって、混合液状樹脂３７を硬化させて硬化樹脂を形成する。このことにより、封止前基板５に装着されたＬＥＤチップ２５を、キャビティ１３の形状に対応して形成された硬化樹脂によって樹脂封止する。混合液状樹脂３７を硬化させた後に、型締め機構ＣＬを使用して固定上型２３と可動下型１２とを型開きする。
【００５５】
次に、ローダ９を、アンローダ１０が成形モジュール３Ｃまで移動することを妨げない適当な位置まで退避させる。例えば、基板供給・収納モジュール２から、成形モジュール３Ｄ又は液状樹脂供給モジュール４における適当な位置まで、ローダ９を退避させる。その後に、アンローダ１０を、基板供給・収納モジュール２からレール１１に沿って成形モジュール３Ｃまで＋Ｘ方向に移動させる。
【００５６】
次に、成形モジュール３Ｃにおいて、アンローダ１０を可動下型１２と固定上型２３との間の所定の位置まで−Ｙ方向に移動させ、アンローダ１０が固定上型２３から封止済基板７を受け取る。封止済基板７を受け取った後、アンローダ１０を基板供給・収納モジュール２に戻し、封止済基板７を封止済基板収納部８に収納する。この時点で、最初の封止前基板５の樹脂封止が完了して、最初の封止済基板７が完成する。
【００５７】
次に、成形モジュール３Ｄ又は液状樹脂供給モジュール４における適当な位置まで退避させていたローダ９を、基板供給・収納モジュール２に移動させる。封止前基板供給部６からローダ９に次の封止前基板５を受け渡す。このようにして樹脂封止を繰り返す。
【００５８】
制御部２２を使用して、封止前基板５の供給、供給機構１５及びディスペンサ１７の移動、混合液状樹脂３７の吐出、固定上型２３と可動下型１２との型締め及び型開き、封止済基板７の収納などのすべての動作を制御する。
【００５９】
本実施例によれば、液状樹脂保管機構１６とディスペンサ１７とが一体化される。このことにより、ディスペンサ１７の移動距離は、可動下型１２の近傍から可動下型１２の上方における所定の位置までという短距離になる。したがって、フッ素樹脂チューブ２７、２９の距離を短くすることができる。供給機構１５全体を−Ｙ方向に移動させて可動下型１２の近傍の所定の位置まで移動させる場合には、ディスペンサ１７の移動距離がいっそう短くなるので、フッ素樹脂チューブ２７、２９の距離をいっそう短くすることができる。
【００６０】
フッ素樹脂チューブ２７、２９の距離を短くすることによって、第１に、供給機構１５自体を小型化することができる。このことによって、液状樹脂供給モジュール４と各成形モジュール３Ａ、３Ｂ、３Ｃ、３Ｄとの間において、レール１１を介して供給機構１５を容易に移動させることができる。
【００６１】
第２に、ディスペンサ１７の移動に伴ってフッ素樹脂チューブ２７、２９に湾曲や折れ曲がりが発生することを抑制することができる。このことによって、フッ素樹脂チューブ２７、２９において、湾曲部において液状樹脂（主剤、硬化剤）や空気が溜まることを抑制することができる。したがって、ディスペンサ１７の貯留部２８、３０に液状樹脂を安定して移送することができる。
【００６２】
本実施例によれば、可動下型１２の近傍から可動下型１２の上方における所定の位置まで移動するディスペンサ１７は、次の構成要素が一体化されて構成される。それらの構成要素は、複数の種類の液状樹脂をそれぞれ貯留する貯留部２８、３０と、貯留された複数の種類の液状樹脂を所定量だけ送出する計量送出機構３１、３２と、送出された複数の種類の液状樹脂を混合して混合液状樹脂を形成する混合部３５と、混合液状樹脂を吐出するノズル３６とである。これによって、ディスペンサ１７自体を小型化することができる。したがって、ディスペンサ１７と液状樹脂保管機構１６とが一体化された供給機構１５を小型化することができる。
【００６３】
本実施例によれば、混合室３３において合流して混合され始めた主剤と硬化剤とを、スタティックミキサ３４を使用してさらに混合する。したがって、スタティックミキサ３４を短くすることができる。これによって、ディスペンサ１７自体をいっそう小型化することができる。したがって、ディスペンサ１７と液状樹脂保管機構１６とが一体化された供給機構１５をいっそう小型化することができる。
【００６４】
本実施例によれば、主剤の貯留部２８及び硬化剤の貯留部３０はステンレス鋼（stain-less steel）製である。例えば、ポリプロピレン製の貯留部は、液状樹脂を移送する際の圧力（樹脂圧）を受けることによって膨らむ。一方、ステンレス鋼製の貯留部は、樹脂圧を受けても膨らまない。したがって、貯留部２８、３０は樹脂圧によって変形しない。このことによって、貯留部２８、３０の内径は変動することがない。したがって、計量送出機構３１、３２によって、所定量の液状樹脂をばらつきなく安定して送出することができる。
【００６５】
本実施例によれば、図１に示された構成要素である基板供給・収納モジュール２、成形モジュール３Ａ、３Ｂ、３Ｃ、３Ｄ、液状樹脂供給モジュール４は、それぞれ他の構成要素に対して着脱されることができ、かつ、交換されることができる。このことによって、樹脂成形装置１において成形モジュールを事後的に増加又は減少させることができる。したがって、市場動向の変化などに応じて、成形モジュールを単位にして増減及び移設することができる。図１においては、各構成要素はＸ方向に沿って装着されて並び、成形モジュールを４個設けた場合を示した。これに限らず、成形モジュールを１個以上であって任意の個数だけ設けることができる。
【００６６】
なお、本実施例に関する以下の記載は、後述する各実施例において共通する。
【００６７】
本実施例においては、図２（ａ）に示されるように、ディスペンサ１７自体を水平方向に沿って配置、言い換えれば横向きに配置した。このことによって、樹脂成形装置１の高さを小さくすることができる。ディスペンサ１７自体を鉛直方向に沿って配置、言い換えれば縦向きに配置してもよい。このことによって、樹脂成形装置１の平面積を小さくすることができる。加えて、ディスペンサ１７自体を斜め下向きに配置してもよい。液状樹脂が有する粘度などの特性によっては、ディスペンサ１７自体を斜め上向きに配置してもよい。
【００６８】
本実施例においては、供給機構１５が移動する方向（Ｘ方向）とディスペンサ１７が移動する方向（Ｙ方向）とが直交する。これに限らず、供給機構１５が移動する方向とディスペンサ１７が移動する方向とが直交しなくてもよく、同一方向でもよい。
【００６９】
本実施例においては、供給機構１５全体を、モジュール３Ｃにおける可動下型１２の近傍の所定の位置まで移動させる。この工程において、供給機構１５全体を、−Ｙ方向に移動させて可動下型１２の近傍の所定の位置まで移動させてもよい。言い換えれば、「モジュール３Ｃにおける可動下型１２の近傍の所定の位置」という文言は、成形モジュール３Ｃにおけるレール１１上の位置から供給機構１５が可動下型１２に最も近づくことができる位置までを含む。
【実施例２】
【００７０】
図３を参照して、本発明に係る樹脂成形装置１の実施例２を説明する。図３において、２個のカートリッジ１８には主剤３９が貯蔵され、２個のカートリッジ１９には硬化剤４０が貯蔵される。主剤３９と硬化剤４０とはいずれも液状樹脂である。加圧機構であるコンプレッサ４１は、例えば、ナイロンチューブ４２によって各カートリッジ１８、１９と接続される。コンプレッサ４１からナイロンチューブ４２を通って各カートリッジ１８、１９に、圧縮空気が供給される。コンプレッサ４１とカートリッジ１８、１９との間には、圧縮空気の圧力を制御する電空レギュレータ４３、４４がそれぞれ設けられる。電空レギュレータ４３、４４を使用して、コンプレッサ４１からそれぞれ供給される圧縮空気の圧力を多段階に制御することができる。
【００７１】
切替弁（図示なし）を使用して、２個のカートリッジ１８のうちの１個のカートリッジ１８に圧縮空気が供給される。切替弁（図示なし）を使用して、２個のカートリッジ１９のうちの１個のカートリッジ１９に圧縮空気が供給される。図３は、カートリッジ１８、１９をそれぞれ２個設けた場合を示す。カートリッジ１８、１９をそれぞれ３個以上設けてもよい。
【００７２】
各カートリッジ１８の内部には、コンプレッサ４１から供給される圧縮空気の圧力に応じて進退するプランジャ４５が、それぞれ設けられる。各カートリッジ１９の内部には、コンプレッサ４１から供給される圧縮空気の圧力に応じて進退するプランジャ４６が、それぞれ設けられる。
【００７３】
樹脂成形装置１（図１参照）において、液状樹脂保管機構１６とディスペンサ１７とが一体化された供給機構１５（図１、図２参照）は、液状樹脂供給モジュール４と各成形モジュール３Ａ、３Ｂ、３Ｃ、３Ｄとの間を移動する。したがって、コンプレッサ４１から圧縮空気を供給するための配管としては、柔軟性を有するナイロンチューブ４２を用いることが好ましい。
【００７４】
図３を参照してディスペンサ１７の動作を説明する。コンプレッサ４１からナイロンチューブ４２、電空レギュレータ４３を順次経由して、１個の主剤用のカートリッジ１８内に圧縮空気を供給する。１個のカートリッジ１８内に供給された圧縮空気を使用して、そのカートリッジ１８内のプランジャ４５を押圧する。押圧されたプランジャ４５は、下降して主剤３９を押圧する。このことにより、フッ素樹脂チューブ２７を経由して、ディスペンサ１７に設けられた主剤の貯留部２８に主剤３９を移送する。
【００７５】
同様に、コンプレッサ４１からナイロンチューブ４２、電空レギュレータ４４を順次経由して、１個の硬化剤用のカートリッジ１９内に圧縮空気を供給する。１個のカートリッジ１９内に供給された圧縮空気を使用して、そのカートリッジ１９内のプランジャ４６を押圧する。押圧されたプランジャ４６は、下降して硬化剤４０を押圧する。このことにより、フッ素樹脂チューブ２９を経由して、ディスペンサ１７に設けられた硬化剤の貯留部３０に硬化剤４０を移送する。
【００７６】
制御部２２（図１参照）は、主剤３９の移送と硬化剤４０の移送とを、次のように制御する。コンプレッサ４１から供給された圧縮空気が１個のカートリッジ１８内の主剤３９を押圧する動作と、計量送出機構３１を使用してそのカートリッジ１８内から貯留部２８に主剤３９を吸い込む動作とを、同期させる。コンプレッサ４１から圧縮空気を供給することにより１個のカートリッジ１９内の硬化剤４０を押圧する動作と、計量送出機構３２を使用してそのカートリッジ１９内から貯留部３０に硬化剤４０を吸い込む動作とを、同期させる。これらのことによって、それぞれ貯留部２８、３０に真空状態を形成することなく、貯留部２８に主剤３９を、貯留部３０に硬化剤４０を、それぞれ安定して満たすことができる。
【００７７】
液状樹脂の粘度の高低に応じて、例えば、電空レギュレータ４３、４４を使用して、圧縮空気の圧力を高圧から低圧まで数段階に制御することもできる。このことにより、それぞれ主剤３９、硬化剤４０を貯留部２８、３０にいっそう安定して満たすことができる。電空レギュレータ４３、４４を使用して、液状樹脂の粘度に応じて圧力を最適化することによって、フッ素樹脂チューブ２７、２９における液状樹脂や空気の溜まりをいっそう抑制することができる。
【００７８】
本実施例によれば、実施例１と同様の効果が得られる。
【００７９】
加えて、本実施例によれば、各カートリッジ１８、１９をそれぞれ複数個設ける。このことによって、１つのカートリッジにおける液状樹脂が空になった場合において、残りのうちの１つのカートリッジに切り替えてフッ素樹脂チューブ２７、２９に接続することができる。したがって、カートリッジを交換するために樹脂成形装置１の稼働を止める必要がなくなるので、生産性を低下させることがない。
【００８０】
加えて、本実施例によれば、電空レギュレータ４３、４４を使用して圧縮空気を多段階に、例えば、４段階〜５段階に圧力制御する。このことによって、フッ素樹脂チューブ２７、２９における液状樹脂や空気の溜まりをいっそう抑制することができる。
【００８１】
なお、各カートリッジ１８内の主剤３９及び各カートリッジ１９内の硬化剤４０の液量を、静電容量式センサ、ビームセンサ、赤外線センサ、近接センサなどを用いて管理することができる。液量を管理することによって、それぞれ複数個設けられたカートリッジ１８、１９において、１個のカートリッジ１８、１９の液状樹脂が残り少なくなったことを検出する。
【００８２】
樹脂成形装置１が動作している状態において１個のカートリッジ１８、１９の液状樹脂が残り少なくなった場合には、他の未使用のカートリッジ１８、１９に切り替えてその未使用のカートリッジ１８、１９の液状樹脂を使用する。具体的には、第１に、主剤３９が残り少なくなったカートリッジ１８を他の未使用のカートリッジ１８に切り替える。第２に、硬化剤４０が残り少なくなったカートリッジ１９を他の未使用のカートリッジ１９に切り替える。これらによって、貯留部２８に満たされた主剤３９及び貯留部３０に満たされた硬化剤４０が空になる事態を回避することができる。したがって、混合室３３の内部に空気が混入する事態を回避することができる。
【実施例３】
【００８３】
図４を参照して、本発明に係る樹脂成形装置１の実施例３において使用されるディスペンサ１７を説明する。主剤３９の計量送出機構３１として、サーボモータ４７とボールねじ４８とボールねじナット４９とが設けられる。主剤３９の貯留部２８には、ボールねじ４８の先端に取り付けられたプランジャ５０が設けられる。サーボモータ４７によってボールねじ４８が回転し、プランジャ５０を押し出す。プランジャ５０によって主剤３９が押圧されて所定量の主剤３９が混合室３３に送出される。
【００８４】
同様に、硬化剤の計量送出機構３２として、サーボモータ５１とボールねじ５２とボールねじナット５３とが設けられる。硬化剤の貯留部３０には、ボールねじ５１の先端に取り付けられたプランジャ５４が設けられる。サーボモータ５１によってボールねじ５２が回転し、プランジャ５４を押し出す。プランジャ５４によって所定量の硬化剤４０が混合室３３に送出される。
【００８５】
それぞれ混合室３３の通路５５に送出された所定量の主剤３９と所定量の硬化剤４０とは、通路５５において合流して混合され始める。その後に、主剤３９と硬化剤４０とはスタティックミキサ３４に送出される。
【００８６】
なお、次の一連の動作を、それぞれ三方弁（図示なし）を制御することによって切り替える。第１の一連の動作は、カートリッジ１８（図３参照）からフッ素樹脂チューブ２７を経由して貯留部２８に主剤３９を移送する動作と、貯留部２８から混合室３３に主剤３９を送出する動作とである。第２の一連の動作は、カートリッジ１９（図３参照）からフッ素樹脂チューブ２９を経由して貯留部３０に硬化剤４０を移送する動作と、貯留部３０から混合室３３に硬化剤４０を送出する動作とである。
【００８７】
図４を参照してディスペンサ１７の動作を説明する。まず、それぞれ計量送出機構３１と計量送出機構３２とから混合室３３の通路５５内に、主剤３９と硬化剤４０とを一定の割合にして送出する。
【００８８】
この工程において、樹脂成形する対象に応じて、主剤３９と硬化剤４０とを最適な割合に混合する。例えば、それぞれサーボモータ４７、５１の回転数を制御することによってプランジャ５０、５４の移動量（ストローク）を制御する。サーボモータ４７、５１の回転数をそれぞれ制御することによって、プランジャ５０、５４の移動量を精度よく制御することができる。したがって、主剤３９、硬化剤４０の送出量を精度よく制御することができる。
【００８９】
次に、通路５５内において合流して混合され始めた主剤３９と硬化剤４０とを、スタティックミキサ３４を使用してさらに混合する。このことによって、混合液状樹脂（図２に示された混合液状樹脂３７を参照）を生成する。
【００９０】
次に、混合液状樹脂を、スタティックミキサ３４の先端に取り付けられたノズル３６の開口から真下に向かって吐出して、図２に示されたキャビティ１３に供給する。
【００９１】
本実施例によれば、プランジャ５０、５４の移動量を精度よく制御することによって、それぞれ一定量の主剤３９及び硬化剤４０を安定して精度よく送出することができる。したがって、ディスペンサ１７は混合液状樹脂３７（図２参照）を安定して精度よく吐出することができる。
【００９２】
なお、主剤３９の送出開始時と硬化剤４０の送出開始時とを一致させ、かつ、主剤３９の送出完了時と硬化剤４０の送出完了時とを一致させてもよい。これらのことによって、混合液状樹脂３７（図２参照）の吐出をいっそう安定させることができる。
【００９３】
主剤３９及び硬化剤４０を送出し終わった直後にサーボモータ４７、５１を逆方向に回転させることによって、混合液状樹脂３７（図２参照）をノズル３６の先端部から引き込んでもよい。このことによって、混合液状樹脂３７がノズル３６の先端部から垂れることを防止することができる。
【００９４】
図４においては、プランジャ５０、５４によって液状樹脂（主剤３９、硬化剤４０）を静的に押圧する場合を示した。これに限らず、プランジャ５０、５４の先端に螺旋状の回転部材を設けて、液状樹脂を動的に押圧するような構成にすることもできる。また、貯留部２８、３０自体を回転させるような構成にすることもできる。
【００９５】
液状樹脂の計量送出機構として、サーボモータとボールねじとを用いた送出手段（サーボシリンダ方式）を用いた。これに限らず、例えば、ステッピングモータとボールねじとの組み合わせ、一軸偏心ねじ方式(モーノポンプ方式)、エアシリンダなどの送出手段を用いることもできる。
【実施例４】
【００９６】
図５を参照して、本発明に係る樹脂成形装置１の実施例４を説明する。実施例１との違いは、供給機構１５においてディスペンサ１７を２つのブロックに分けたことである。具体的には、ディスペンサ１７を、貯留された液状樹脂を計量して送出するブロック（貯留送出部）と、送出された液状樹脂を混合して吐出するブロック（混合吐出部）との２つのブロックに分ける。さらに、貯留送出部を、主剤の貯留送出部と、硬化剤の貯留送出部とに分ける。混合吐出部はＹ方向に移動することができる。
【００９７】
図５に示すように、主剤の貯留部２８は、フッ素樹脂チューブ５６によって混合室５７に接続される。硬化剤の貯留部３０は、フッ素樹脂チューブ５８によって混合室５７に接続される。混合室５７には、スタティックミキサ３４が接続される。混合室５７とスタティックミキサ３４とは、併せて、主剤と硬化剤とを混合する混合部３５を構成する。混合部３５とノズル３６とは、一体化されて、併せて混合吐出部５９を構成する。ディスペンサ１７には、混合吐出部５９をＹ方向に移動させる移動機構６０が設けられる。それぞれ主剤の計量送出機構３１と貯留部２８とは、併せて主剤の貯留送出部６１を構成する。それぞれ硬化剤の計量送出機構３２と貯留部３０とは、併せて硬化剤の貯留送出部６２を構成する。
【００９８】
供給機構１５内において、移動機構６０によって、混合吐出部５９が−Ｙ方向（可動下型１２に向かう方向）に移動する。混合吐出部５９は、上下方向（Ｚ方向）にも移動させることができる。図５（ａ）に示されたディスペンサ１７を、鉛直面内（Ｙ軸とＺ軸とを含む面内）又は水平面内（Ｘ軸とＹ軸とを含む面内）において、ある１点を中心にして部分的に回転するように往復動させることができる。
【００９９】
本実施例においては、ディスペンサ１７を、主剤の貯留送出部６１と硬化剤の貯留送出部６２とを含む第１のブロックと、混合吐出部５９を含む第２のブロックとの、２つのブロックに分ける。第１のブロックから分かれた第２のブロックが、すなわち混合吐出部５９が、移動機構６０によってＹ方向に移動する。
【０１００】
まず、主剤の貯留部２８に貯留された主剤を、計量送出機構３１を使用して所定量に計量する。所定量の主剤を、フッ素樹脂チューブ５６を通って混合室５７という空間に送出する。同様に、硬化剤の貯留部３０に貯留された硬化剤を、計量送出機構３２を使用して所定量に計量する。所定量の硬化剤を、フッ素樹脂チューブ５８を経由して混合室５７という空間に送出する。
【０１０１】
次に、混合室５７において、一定の割合で送出された主剤と硬化剤とを、合流させて混合し始める。混合し始めた主剤と硬化剤とを、スタティックミキサ３４に移送してさらに混合する。このことによって、混合液状樹脂３７を生成する。
【０１０２】
次に、移動機構６０を使用して、可動下型１２の上方における所定の位置まで混合吐出部５９を移動させる。混合吐出部５９を移動させる工程と混合液状樹脂３７を生成する工程とを並行して実行することもできる。
【０１０３】
次に、ディスペンサ１７先端のノズル３６から真下に向かって、混合液状樹脂３７を吐出する。このことによって、混合液状樹脂３７をキャビティ１３に供給する。
【０１０４】
本実施例によれば、実施例１と同様の効果を得ることができる。
【０１０５】
加えて、本実施例によれば、複数枚の大面積の基板に対して、必要な混合液状樹脂３７を継続してかつ安定して供給することができるという効果が得られる。具体的には、ディスペンサ１７を、主剤の貯留送出部６１と硬化剤の貯留送出部６２とを含む第１のブロックと、混合吐出部５９を含む第２のブロックとの、２つのブロックに分ける。可動下型１２に対して、混合吐出部５９を進退させ、かつ、主剤の貯留送出部６１と硬化剤の貯留送出部６２とを進退させない。このことによって、主剤の貯留部２８及び硬化剤の貯留部３０の容積を大きくすることができるので、貯留部２８、３０にそれぞれ大容量の主剤及び硬化剤を貯留することができる。したがって、複数枚の大面積の基板に対して、必要な混合液状樹脂３７を継続して安定して供給することができる。
【０１０６】
なお、上述した各実施例においては、ＬＥＤチップを樹脂封止する際に使用される樹脂成形装置及び樹脂成形方法を説明した。樹脂封止する対象はＩＣ、トランジスタ等の半導体チップでもよく、受動素子でもよい。プリント基板、セラミックス基板などの基板に装着された１個又は複数個の電子部品を樹脂封止する際に本発明を適用することができる。
【０１０７】
加えて、電子部品を樹脂封止する場合に限らず、レンズ、光学モジュール、導光板などの光学部品を樹脂成形によって製造する場合や、一般的な樹脂成形品を製造する場合などに、本発明を適用することができる。
【０１０８】
各実施例においては、圧縮成形による樹脂成形装置及び樹脂成形方法を説明した。加えて、トランスファ成形による樹脂成形装置及び樹脂成形方法に本発明を適用することができる。この場合には、成形型に設けられた円筒状の空間からなる樹脂収納部（下方にプランジャと呼ばれる昇降部材が配置され、通常は固形樹脂からなる樹脂材料が収納される部分であって、ポットと呼ばれる）に、混合液状樹脂が供給される。
【０１０９】
各実施例においては、下型に設けられたキャビティを収容部として、そのキャビティに混合液状樹脂を供給する例を説明した。キャビティの他に、収容部は次のいずれであってもよい。第１に、収容部は、下型に設けられたポット（上述）である。
【０１１０】
第２に、収容部は、基板の上面を含む空間であってその基板の上面に実装されているチップ（半導体チップ、受動部品のチップなどの電子部品のチップ）を含む空間である。混合液状樹脂は、基板の上面に実装されているチップを覆うようにして供給される。
【０１１１】
第３に、収容部は、シリコンウェーハなどの半導体基板の上面を含む空間である。混合液状樹脂は、半導体基板に形成されている半導体回路などの機能部を覆うようにして供給される。
【０１１２】
第４に、収容部は、最終的に成形型のキャビティに収容されるはずのフィルムにおける上面を含む空間である。この場合における収容部は、例えば、フィルムがくぼむことによって形成される凹部である。混合液状樹脂は、フィルムがくぼむことによって形成された凹部に供給される。このフィルムの目的としては、離型性の向上、フィルムの表面における凹凸からなる形状の転写、フィルムに予め形成された図柄の転写などが挙げられる。フィルムの凹部に収容された混合液状樹脂を、フィルムとともに、適切な搬送機構を使用して搬送して最終的に成形型のキャビティに収容する。
【０１１３】
第１〜第４の場合のいずれにおいても、収容部に収容された混合液状樹脂は、最終的に成形型のキャビティの内部に収容されて、キャビティの内部において硬化する。
【０１１４】
第２〜第４の場合のいずれにおいても、相対向する１対の成形型の外部において収容部に混合液状樹脂を供給し、その収容部を少なくとも含む構成要素を成形型の間に搬送することができる。
【０１１５】
各実施例においては、基板供給・収納モジュール２と液状樹脂供給モジュール４との間に、４個の成形モジュール３Ａ、３Ｂ、３Ｃ、３ＤをＸ方向に並べて装着した。基板供給・収納モジュール２と液状樹脂供給モジュール４とを１つのモジュールにして、そのモジュールに１個の成形モジュール３ＡをＸ方向に並べて装着してもよい。さらに、その１つのモジュールに成形モジュール３ＡをＸ方向に並べて装着し、成形モジュール３Ａに他の成形モジュール３Ｂを装着してもよい。
【０１１６】
各実施例においては、混合室３３の内部に撹拌手段を設けてもよい。このことにより、スタティックミキサ３４をいっそう短くすることができる。撹拌手段としては、回転羽根やマグネチックスターラー（magnetic stirrer）などを使用することができる。
【０１１７】
各実施例においては、第１に、主剤の貯留部２８と硬化剤の貯留部３０とがともに混合室３３という共通する空間に接続される。第２に、主剤の貯留部２８と硬化剤の貯留部３０とがともに混合室５７という共通する空間に接続される。液状樹脂が有する粘度などの特性によっては、主剤の貯留部２８と硬化剤の貯留部３０とがともにスタティックミキサ３４に直接接続されてもよい。この場合には、スタティックミキサ３４単体が液状樹脂混合機構として機能する。混合室を省略することによって、ディスペンサ１７自体をいっそう小型化することができる。
【０１１８】
各実施例においては、２種類の樹脂材料を使用した。これに限らず、３種類以上の樹脂材料を使用することもできる。
【０１１９】
本発明は、上述した各実施例に限定されるものではなく、本発明の趣旨を逸脱しない範囲内において、必要に応じて、任意にかつ適宜に組み合わせ、変更し、又は選択して採用することができる。例えば、実施例２と実施例４とを組み合わすことができる。
【符号の説明】
【０１２０】
１    樹脂成形装置
２    基板供給・収納モジュール
３Ａ、３Ｂ、３Ｃ、３Ｄ  成形モジュール
４    液状樹脂供給モジュール（供給モジュール）
５    封止前基板（基板）
６    封止前基板供給部
７    封止済基板
８    封止済基板収納部
９    ローダ
１０  アンローダ
１１  レール
１２  可動下型（下型）
１３  キャビティ、全体キャビティ（収容部）
１４  離型フィルム
１５  供給機構
１６  液状樹脂保管機構
１７  ディスペンサ（吐出機構）
１８  主剤用のカートリッジ（容器）
１９  硬化剤用のカートリッジ（容器）
２０  移動機構（第１の移動機構）
２１  真空引き機構
２２  制御部
２３  固定上型（上型）
２４  フィルム押え部材
２５  ＬＥＤチップ
２６  個別キャビティ（収容部）
２７、２９、５６、５８  フッ素樹脂チューブ
２８  主剤の貯留部（液状樹脂貯留機構）
３０  硬化剤の貯留部（液状樹脂貯留機構）
３１  主剤の計量送出機構（液状樹脂送出機構）
３２  硬化剤の計量送出機構（液状樹脂送出機構）
３３、５７  混合室（液状樹脂混合機構）
３４  スタティックミキサ（液状樹脂混合機構）
３５  混合部（液状樹脂混合機構）
３６  ノズル（液状樹脂混合機構）
３７  混合液状樹脂
３８  移動機構（第２の移動機構）
３９  主剤（液状樹脂）
４０  硬化剤（液状樹脂）
４１  コンプレッサ（加圧機構）
４２  ナイロンチューブ
４３、４４  電空レギュレータ
４５、４６、５０、５４  プランジャ
４７、５１  サーボモータ
４８、５２  ボールねじ
４９、５３  ボールねじナット
５５  通路
５９  混合吐出部
６０  移動機構（第３の移動機構）
６１、６２  貯留送出部
ＣＬ  型締め機構
【図１】
2015123738.tif 000003
【図２】
2015123738.tif 000004
【図３】
2015123738.tif 000005
【図４】
2015123738.tif 000006
【図５】
2015123738.tif 000007